(57)【要約】【課題】ユーザが必要とする情報を簡単かつ迅速に提供できるようにする。【解決手段】サーバ２は、ユーザ端末１からＤＢ連動型ホームページ（ＨＰ）へのアクセスを受けて、ユーザＩＤを取得し、データベース３からユーザ情報やアクセス履歴等からなるログ情報を読み出す。ＨＰ作成部２３は、ユーザが必要とする情報を提供するために、ユーザの嗜好やアクセス履歴に応じてユーザ毎にカスタマイズした画面および検索画面を作成し、ユーザ端末１に送信し、ユーザ端末１に表示させる。ユーザ端末１によって入力された検索キーワードや、ホームページ内で閲覧した商品情報等のログ情報はデータベース３に登録される。【選択図】      図１
2005018436.tif 000002
【特許請求の範囲】
【請求項１】
ユーザの端末と、前記端末とネットワークを介して接続され、前記端末に対して情報を提供する情報提供装置とからなる情報提供システムであって、
前記情報提供装置は、
前記ユーザからのアクセス履歴を示す履歴情報と、前記ユーザに提供する前記情報とを記憶する記憶手段と、
前記端末からのアクセスを受け、前記端末からアクセスしてきたユーザを特定し、前記情報のうち、この特定されたユーザに対して提供すべき所定の情報と、前記ユーザに対応する前記履歴情報を前記記憶手段から読み出す読み出し手段と、
前記読み出し手段によって読み出された前記所定の情報と、前記履歴情報とに基づいて、前記ユーザに対して送信すべき画面表示データを作成する作成手段と、
前記作成手段によって作成された前記画面表示データを前記端末に対して送信する送信手段とを備え、
前記端末は、
前記情報提供装置にアクセスするアクセス手段と、
前記情報提供装置から送信されてきた前記画面表示データを受信する受信手段と、
前記受信手段によって受信された前記画面表示データを表示する表示手段とを備えることを特徴とする情報提供システム。
【請求項２】
前記情報提供装置は、前記端末から検索条件を受け、前記検索条件およびアクセス時刻を示す時間情報とを履歴情報として前記記憶手段に記憶させ、前記検索条件に対する検索結果を前記端末に返送する検索処理手段をさらに備え、
前記端末は、ユーザが入力した検索条件を前記情報提供装置に送信する送信手段をさらに備え、
前記受信手段は、前記情報提供装置からの検索結果を受信し、
前記表示手段は、前記受信手段によって受信された前記検索結果を表示することを特徴とする請求項１に記載の情報提供システム。
【請求項３】
前記作成手段は、前記ユーザに対して提供すべき前記所定の情報と、前記履歴情報のうち、前記ユーザに対応するものを所定のテンプレートに設定することによって前記画面表示データを作成することを特徴とする請求項１または請求項２に記載の情報提供システム。
【請求項４】
前記作成手段は、前記読み出し手段によって読み出された前記所定の情報と、前記履歴情報とに基づいて、前記ユーザに対して提供すべき提供情報を決定し、前記提供情報を含む前記画面表示データを作成することを特徴とする請求項１から３のいずれかの項に記載の情報提供システム。
【請求項５】
ユーザの端末とネットワークを介して接続され、前記端末に対して情報を提供する情報提供装置であって、
前記ユーザからのアクセス履歴を示す履歴情報と、前記ユーザに提供する前記情報とを記憶する記憶手段と、
前記端末からのアクセスを受け、前記端末からアクセスしてきたユーザを特定し、前記情報のうち、この特定されたユーザに対して提供すべき所定の情報と、前記ユーザに対応する前記履歴情報を前記記憶手段から読み出す読み出し手段と、
前記読み出し手段によって読み出された前記所定の情報と、前記履歴情報とに基づいて、前記ユーザに対して送信すべき画面表示データを作成する作成手段と、
前記作成手段によって作成された前記画面表示データを前記端末の所定のものに対して送信する送信手段とを備えることを特徴とする情報提供装置。
【請求項６】
ユーザの端末と、前記端末とネットワークを介して接続され、前記端末に対して情報を提供する情報提供装置とからなる情報提供システムにおける情報提供方法であって、
前記情報提供装置は、
前記ユーザからのアクセス履歴を示す履歴情報と、前記ユーザに提供する前記情報とを所定の記憶装置に記憶させる記憶ステップと、
前記端末からのアクセスを受け、前記端末からアクセスしてきたユーザを特定し、前記情報のうち、この特定されたユーザに対して提供すべき所定の情報と、前記ユーザに対応する前記履歴情報を前記記憶装置から読み出す読み出しステップと、
前記読み出しステップにおいて読み出された前記所定の情報と、前記履歴情報とに基づいて、前記ユーザに対して送信すべき画面表示データを作成する作成ステップと、
前記作成ステップにおいて作成された前記画面表示データを前記端末へ送信する送信ステップとを備え、
前記端末は、
前記情報提供装置にアクセスするアクセスステップと、
前記情報提供装置から送信されてきた前記画面表示データを受信する受信ステップと、
前記受信ステップにおいて受信された前記画面表示データを表示する表示ステップとを備えることを特徴とする情報提供方法。
【請求項７】
ユーザの端末とネットワークを介して接続され、前記端末に対して情報を提供する情報提供装置を制御する情報提供プログラムであって、
前記端末からのアクセスを受け、前記端末からアクセスしてきたユーザを特定し、前記ユーザからのアクセス履歴を示す履歴情報と、前記ユーザに提供する前記情報とを記憶する記憶装置から、特定された前記ユーザに対して提供すべき所定の情報と、前記ユーザに対応する前記履歴情報を読み出す読み出しステップと、
前記読み出しステップにおいて読み出された前記所定の情報と、前記履歴情報とに基づいて、前記ユーザに対して送信すべき画面表示データを作成する作成ステップと、
前記作成ステップにおいて作成された前記画面表示データを前記端末に対して送信する送信ステップとを前記情報提供システムに実行させることを特徴とする情報提供プログラム。
【発明の詳細な説明】
【０００１】
【発明の属する技術分野】
本発明は、情報提供システム、情報提供装置、および情報提供方法、並びに情報提供プログラムに関し、特に、ネットワークを介して情報を提供する情報提供システム、情報提供装置、および情報提供方法、並びに情報提供プログラムに関する。
【０００２】
【従来の技術】
従来、インターネットを介してアクセスしてきたユーザの通信端末へ情報を提供するサイトなどでは、全てのユーザに対して同一の情報を同一の方法で提供している。また、通信端末によって会員が行った認証要求に対して、会員情報に基づいて会員を認証する手段と、会員を認証した後、コンテンツ情報と購入コンテンツ情報とに基づいて、会員が購入したコンテンツの中で、所定期間内にあるものを含み、所定期間を経過したものを除外したメニューを生成し、そのメニューを通信端末に表示する手段と、メニューの中からコンテンツ通信端末を用いて会員が選択すると、選択されたコンテンツを提供するコンテンツ・サーバが、会員を認証し、さらに、選択されたコンテンツを通信端末を用いて会員に有効期限内ならば利用させ、有効期限を過ぎていても所定期間内ならば再購入を促す手段とを備えることにより、コンテンツを必要なときに必要なだけ手軽に利用可能にするものがある（例えば、特許文献１参照）。
【０００３】
【特許文献１】
特開２００２−１３３１９８号公報
【０００４】
【発明が解決しようとする課題】
しかしながら、従来の方法では、ユーザにとって必要のない情報まで提供されるため、ユーザは、提供された情報の中から欲しい情報を取得しなければならなかった。多量の情報の中から必要な情報を見つけ出す作業は時間もかかり、作業者にストレスがかかるという問題があった。また、上記情報からでは、メーカが売りにしている商品を知ることができないという問題があった。さらに、メーカ側からユーザに対しては個別に働きかけをすることができないため、個々のユーザが必要とする商品情報を迅速に提供し、売り込みたい商品をユーザ毎に提供することができないという問題があった。
また、特許文献１に記載の方法では、有料コンテンツを必要なときに必要なだけ手軽に利用することはできるが、必要とする情報を迅速に取得することはできないという問題があった。
【０００５】
本発明はこのような状況に鑑みてなされたものであり、ユーザが必要とする情報を迅速に提供することができるようにするものである。
【０００６】
【課題を解決するための手段】
請求項１に記載の情報提供システムは、ユーザの端末と、前記端末とネットワークを介して接続され、前記端末に対して情報を提供する情報提供装置とからなる情報提供システムであって、前記情報提供装置は、前記ユーザからのアクセス履歴を示す履歴情報と、前記ユーザに提供する前記情報とを記憶する記憶手段と、前記端末からのアクセスを受け、前記端末からアクセスしてきたユーザを特定し、前記情報のうち、この特定されたユーザに対して提供すべき所定の情報と、前記ユーザに対応する前記履歴情報を前記記憶手段から読み出す読み出し手段と、前記読み出し手段によって読み出された前記所定の情報と、前記履歴情報とに基づいて、前記ユーザに対して送信すべき画面表示データを作成する作成手段と、前記作成手段によって作成された前記画面表示データを前記端末に対して送信する送信手段とを備え、前記端末は、前記情報提供装置にアクセスするアクセス手段と、前記情報提供装置から送信されてきた前記画面表示データを受信する受信手段と、前記受信手段によって受信された前記画面表示データを表示する表示手段とを備えることを特徴とする。
【０００７】
また、前記情報提供装置は、前記端末から検索条件を受け、前記検索条件およびアクセス時刻を示す時間情報とを履歴情報として前記記憶手段に記憶させ、前記検索条件に対する検索結果を前記端末に返送する検索処理手段をさらに備え、前記端末は、ユーザが入力した検索条件を前記情報提供装置に送信する送信手段をさらに備え、前記受信手段は、前記情報提供装置からの検索結果を受信し、前記表示手段は、前記受信手段によって受信された前記検索結果を表示することを特徴とする。
【０００８】
また、前記作成手段は、前記ユーザに対して提供すべき前記所定の情報と、前記履歴情報のうち、前記ユーザに対応するものを所定のテンプレートに設定することによって前記画面表示データを作成することを特徴とする。
【０００９】
また、前記作成手段は、前記読み出し手段によって読み出された前記所定の情報と、前記履歴情報とに基づいて、前記ユーザに対して提供すべき提供情報を決定し、前記提供情報を含む前記画面表示データを作成することを特徴とする。
【００１０】
請求項５に記載の情報提供装置は、ユーザの端末とネットワークを介して接続され、前記端末に対して情報を提供する情報提供装置であって、前記ユーザからのアクセス履歴を示す履歴情報と、前記ユーザに提供する前記情報とを記憶する記憶手段と、前記端末からのアクセスを受け、前記端末からアクセスしてきたユーザを特定し、前記情報のうち、この特定されたユーザに対して提供すべき所定の情報と、前記ユーザに対応する前記履歴情報を前記記憶手段から読み出す読み出し手段と、前記読み出し手段によって読み出された前記所定の情報と、前記履歴情報とに基づいて、前記ユーザに対して送信すべき画面表示データを作成する作成手段と、前記作成手段によって作成された前記画面表示データを前記端末の所定のものに対して送信する送信手段とを備えることを特徴とする。
【００１１】
請求項６に記載の情報提供方法は、ユーザの端末と、前記端末とネットワークを介して接続され、前記端末に対して情報を提供する情報提供装置とからなる情報提供システムにおける情報提供方法であって、前記情報提供装置は、前記ユーザからのアクセス履歴を示す履歴情報と、前記ユーザに提供する前記情報とを所定の記憶装置に記憶させる記憶ステップと、前記端末からのアクセスを受け、前記端末からアクセスしてきたユーザを特定し、前記情報のうち、この特定されたユーザに対して提供すべき所定の情報と、前記ユーザに対応する前記履歴情報を前記記憶装置から読み出す読み出しステップと、前記読み出しステップにおいて読み出された前記所定の情報と、前記履歴情報とに基づいて、前記ユーザに対して送信すべき画面表示データを作成する作成ステップと、前記作成ステップにおいて作成された前記画面表示データを前記端末へ送信する送信ステップとを備え、前記端末は、前記情報提供装置にアクセスするアクセスステップと、前記情報提供装置から送信されてきた前記画面表示データを受信する受信ステップと、前記受信ステップにおいて受信された前記画面表示データを表示する表示ステップとを備えることを特徴とする。
【００１２】
請求項７に記載の情報提供プログラムは、ユーザの端末とネットワークを介して接続され、前記端末に対して情報を提供する情報提供装置を制御する情報提供プログラムであって、前記端末からのアクセスを受け、前記端末からアクセスしてきたユーザを特定し、前記ユーザからのアクセス履歴を示す履歴情報と、前記ユーザに提供する前記情報とを記憶する記憶装置から、特定された前記ユーザに対して提供すべき所定の情報と、前記ユーザに対応する前記履歴情報を読み出す読み出しステップと、前記読み出しステップにおいて読み出された前記所定の情報と、前記履歴情報とに基づいて、前記ユーザに対して送信すべき画面表示データを作成する作成ステップと、前記作成ステップにおいて作成された前記画面表示データを前記端末に対して送信する送信ステップとを前記情報提供システムに実行させることを特徴とする。
【００１３】
【発明の実施の形態】
図１は、本発明を応用したネットワークシステムの一実施の形態の構成例を示すブロック図である。同図に示すように、本実施の形態は、ユーザ側に設置されたユーザ端末１と、ユーザ端末１とインターネット等のネットワークにより接続されたサーバ２と、各種情報を記憶するデータベース３と、サーバ２とネットワークにより接続されたメーカ端末４−１乃至４−Ｎ（以下、「メーカ端末４」と記載）とにより構成されている。
【００１４】
ユーザ側の端末としてのユーザ端末１は、ＣＰＵ（ｃｅｎｔｒａｌ  ｐｒｏｃｅｓｓｉｎｇ  ｕｎｉｔ）、主記憶装置、補助記憶装置、出力装置、入力装置、通信制御装置等を備えるパーソナルコンピュータであり、ネットワークを介してサーバ２とデータの送受信を行うことができるようになっている。情報提供装置としてのサーバ２は、ＣＰＵ、主記憶装置、補助記憶装置、出力装置、入力装置、通信制御装置等を備えるパーソナルコンピュータまたはワークステーションであり、ユーザ端末１、メーカ端末４、およびデータベース３とネットワークを介して各種データの送受信を行う通信制御部２１（送信手段）と、ユーザ毎にカスタマイズしたホームページ（ＨＰ）を表示するための画面表示データを作成するホームページ作成部（ＨＰ作成部）２３（読み出し手段、作成手段、検索処理手段）と、ＨＰ作成部２３によって各ユーザ毎に作成されたＨＰの画面表示データを記憶し、対応するユーザのユーザ端末１に通信制御部２１を介してネットワーク経由で送信するＤＢ連動型ＨＰ２２等の機能ブロックにより構成されている。
【００１５】
また、データベース３（記憶手段）は、ハードディスク等の記憶装置に構築されており、ユーザ毎のログ情報（履歴情報）と、メーカ毎の情報を記憶するようになっている。ユーザ毎のログ情報は、ユーザがアクセスした商品に関する情報（商品番号、商品名、価格、検索用キーワード等）、ユーザ情報（勤務先の業界、性別、年齢、居住地域等）、アクセス日時（最終アクセス日等）、ユーザが入力したキーワード、ユーザの検索商品の推移、アクセス元のＵＲＬ（ｕｎｉｆｏｒｍ  ｒｅｓｏｕｒｃｅ  ｌｏｃａｔｏｒ）等の情報からなる。
【００１６】
メーカ毎の情報は、提供する商品に関する情報（商品番号、商品名、価格、商品詳細情報、検索用キーワード、情報更新日等）、最新商品情報（商品番号、商品名、価格、商品詳細情報、検索用キーワード、情報更新日等）、人気商品情報（商品番号、商品名、価格、商品詳細情報、検索用キーワード、情報更新日等）、メーカ情報（メーカ名、メーカコード等）からなる。
【００１７】
次に、図２のフローチャートを参照して、本実施の形態のサーバ２の動作について説明する。まず最初に、ステップＳ１において、サーバ２の通信制御部２１により、ユーザ端末１からのアクセスがあったか否かが判定される。ユーザ端末１からのアクセスがないと判定された場合、ステップＳ１の処理が繰り返し実行される。一方、ユーザ端末１からのアクセスがあったと判定された場合、ステップＳ２に進む。
【００１８】
ユーザは、ユーザ端末１からサーバ２が提供するＤＢ連動型ＨＰ２２にアクセスするとき、ユーザＩＤを図示せぬキーボードを操作して入力する。入力されたユーザＩＤは、ユーザ端末１からネットワークを介してサーバ２に送信される。サーバ２に送信されたユーザＩＤは、ステップＳ２において、通信制御部２１により受信され、ＨＰ作成部２３に供給される。これにより、ＨＰ作成部２３によりユーザＩＤが取得される。
【００１９】
ステップＳ３においては、ＨＰ作成部２３により、データベース３から、ステップＳ２において取得されたユーザＩＤに対応するユーザのログ情報が読み出される。次に、ステップＳ４において、ＨＰ作成部２３により、ステップＳ３において読み出されたログ情報に基づいて、そのユーザＩＤに対応するユーザ用にカスタマイズしたホームページの画面を表示するための画面表示データが作成される。
【００２０】
ユーザ毎にカスタマイズした画面により、例えば、ユーザのログ情報から分析されたユーザの嗜好等に基づいて、ユーザが知りたいと思われる商品、或いは購入する可能性の高い商品に関する情報を表示したり、ユーザが過去に検索した商品の最新情報を表示したり、類似商品に関する情報を表示したり、メーカ４がユーザに提案したい商品の情報を表示したり、人気商品の情報を表示することができる。
【００２１】
ステップＳ５においては、ＨＰ作成部２３によって作成された画面表示データが通信制御部２１に供給され、通信制御部２１の制御によりネットワークを介してユーザ端末１に送信される。ユーザ端末１は、サーバ２からネットワークを介して送信されてきた画面表示データに対応する画面を図示せぬ表示装置に表示させる。
【００２２】
次に、ステップＳ６において、サーバ２は、ユーザ端末１からのネットワークを介したアクセス要求を受け、そのアクセス要求が、検索画面による検索を要求するものである場合、ステップＳ７に進む。ステップＳ７においては、ＨＰ作成部２３により、ユーザ端末１のユーザのログ情報に基づいて、そのユーザ用にカスタマイズした検索画面を表示させるための検索画面表示データを作成する。
【００２３】
ユーザ毎にカスタマイズした検索画面は、例えば、ユーザのログ情報からユーザの嗜好等を分析し、ユーザが知りたいと思われる商品の情報を検索するための検索画面としたり、ユーザが以前に購入した商品と類似する商品に関する情報を検索するための検索画面等とすることができる。
【００２４】
ステップＳ８においては、ＨＰ作成部２３によって作成された検索画面表示データが、通信制御部２１の制御により、ネットワークを介してユーザ端末１に送信される。ユーザ端末１は、サーバ２からネットワークを介して送信されてきた検索画面表示データに対応する検索画面を表示装置に表示する。
【００２５】
次に、ステップＳ９において、ＨＰ作成部２３は、ユーザがユーザ端末１の表示装置に表示された検索画面から入力したキーワードを通信制御部２１を介して受け取り、そのキーワードに基づいて検索処理を行い、検索結果を通信制御部２１を介してネットワーク経由でユーザ端末１に返送するとともに、キーワードを検索ログとしてデータベース３に登録する。ユーザ端末１では、ネットワーク経由で送信された検索結果が表示装置に表示される。その後、ステップＳ６に戻り、ステップＳ６以降の処理が繰り返し実行される。
【００２６】
一方、ステップＳ６において、サーバ２は、ユーザ端末１からのネットワークを介したアクセス要求を受け、そのアクセス要求が、ホームページ内のページ移動を要求するものである場合、ステップＳ１０に進む。ステップＳ１０において、ＨＰ作成部２３は、ユーザ端末１のユーザのログ情報に基づいて、そのユーザ用にカスタマイズした画面を表示するための画面表示データを作成する。
【００２７】
ステップＳ１１においては、ＨＰ作成部２３によって作成された画面表示データが、通信制御部２１の制御により、ネットワークを介してユーザ端末１に送信される。ユーザ端末１は、サーバ２からネットワークを介して送信されてきた画面表示データに対応する画面を表示装置に表示する。
【００２８】
次に、ステップＳ１２において、ＨＰ作成部２３は、ユーザがユーザ端末１の表示装置に表示された商品情報の中から所定の商品に関する詳細な情報の表示を指示した場合には、その商品に関する詳細な情報をデータベース３から読み出し、通信制御部２１を介してネットワーク経由でユーザ端末１に送信するとともに、その商品に関する情報をアクセスログとしてデータベース３に登録する。ユーザ端末１では、ネットワーク経由で送信されてきたその商品に関する詳細な情報が表示装置に表示される。その後、ステップＳ６に戻り、ステップＳ６以降の処理が繰り返し実行される。
【００２９】
また、ステップＳ６において、ユーザ端末１がＤＢ連動型ＨＰ２２から他のホームページに移動するなどした場合、ステップＳ１に戻り、ステップＳ１以降の処理が繰り返し実行される。
【００３０】
ユーザ端末１がＤＢ連動型ＨＰ２２にアクセスすると、ユーザ端末１によりアクセスを行ったユーザを識別するための情報やアクセスした日時を示す情報を含むＣｏｏｋｉｅ（クッキー）がユーザ端末１に送信され、記憶される。ユーザ端末１が再度ＤＢ連動型ＨＰ２２にアクセスすると、ユーザ端末１に記憶されていたＣｏｏｋｉｅがＤＢ連動型ＨＰ２２に送信されるので、ＤＢ連動型ＨＰ２２は、アクセスしてきたユーザを特定することができる。
なお、Ｃｏｏｋｉｅとは、ウェブサイト（ホームページ）を提供するウェブサーバが、アクセスしてきたユーザ端末へウェブブラウザを通じて一時的に書き込むデータであり、例えば、ユーザの識別情報や最後にウェブサイトを訪れた日時、そのウェブサイトへの訪問回数などを記録しておくことができる。そして、ユーザ端末が一旦ウェブサイトから離れ、再びアクセスを行う場合、このウェブサイトに対応したＣｏｏｋｉｅを内部から読み出して送信する。ウェブサーバは、ユーザ端末から受信したＣｏｏｋｉｅをユーザの識別などに利用することができる。
【００３１】
また、ＨＰ作成部２３がユーザ毎にカスタマイズした画面を作成する場合、予め必要なデータの部分を空欄にした画面作成用のテンプレートを作成しておくことにより、必要なデータを入力するだけで簡単にユーザ毎にカスタマイズした画面を作成することもできる。
【００３２】
また、ＨＰ作成部２３は、ユーザのアクセス履歴を示すログ情報を解析することにより、ユーザが頻繁に検索している商品情報を特定し、メーカ端末４に送信することができる。そして、メーカ端末４が設置されているメーカに、そのユーザに提供したい商品を選択してもらい、その商品に関する情報をそのユーザに提供することができる。また、メーカからそのユーザに提供したい広告や新商品を決めてもらい、次にそのユーザがアクセスしてきたとき、その広告や新商品に関するデータをそのユーザのユーザ端末１に送信する。また、前回のアクセスから更新された情報を色分けするなどしてわかりやすく表示することもできる。
【００３３】
以上説明したように、本実施の形態により、ユーザは、欲しい情報を多くの情報の中から簡単かつ迅速に見つけ出すことが可能となる。その理由は、ユーザの嗜好に応じてユーザに対して提供する情報を絞り込むことができるからである。また、人気商品或いは売れ筋の商品に関する情報を迅速に取得することができる。
【００３４】
また、メーカは、ユーザによるアクセスログを解析することにより、需要のある商品に関する情報を取得することができ、力を入れるべき商品を把握することができる。また、アクセスログ情報からユーザの嗜好が分かるので、全てのユーザ向けではなく、商品毎にターゲットを絞って効率よく商品の宣伝を行うことができる。
【００３５】
また、本実施の形態の対象とするユーザとしては、あらゆるポータルサイトの会員を想定しており、ユーザを識別するために、ユーザＩＤとＣｏｏｋｉｅを使用する。ログイン時にユーザＩＤを入力し、ＣｏｏｋｉｅにはユーザＩＤやそのユーザが受けるサービスの情報を含めるようにする。
【００３６】
また、新規登録したユーザでも、登録時のユーザ情報から同様のサービスを提供することができる。例えば、同年代の既存のユーザの動向から、そのユーザのユーザ端末１に表示すべき商品を選定したり、メーカが指定する地域のユーザだけに特定商品を紹介したりすることができる。また、ユーザ情報から、各ユーザが検索可能な商品情報に制限を設けることもできる。
【００３７】
次に、本発明の実施の形態によるコンピュータが実行するためのプログラムについて説明する。図１におけるサーバ２のＣＰＵが実行するためのプログラムは、本発明によるプログラムを構成する。このプログラムを格納するための記録媒体としては、光磁気ディスク、光ディスク、半導体メモリ、磁気記録媒体等を用いることができ、これらをＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ＣＤ−ＲＯＭ（ｃｏｍｐａｃｔ  ｄｉｓｃ  ｒｅａｄ  ｏｎｌｙ  ｍｅｍｏｒｙ）、ＤＶＤ（ｄｉｇｉｔａｌ  ｖｅｒｓａｔｉｌｅ  ｄｉｓｃ）、フレキシブルディスク、メモリカード等に構成して用いてよい。
【００３８】
また、上記記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００３９】
また、上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００４０】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００４１】
従って、このプログラムを図１のシステム又は装置とは異なるシステム又は装置において用い、そのシステム又は装置のコンピュータがこのプログラムを実行することによっても、上記実施の形態で説明した機能及び効果と同等の機能及び効果を得ることができ、本発明の目的を達成することができる。
【００４２】
なお、上記実施の形態の構成及び動作は例であって、本発明の趣旨を逸脱しない範囲で適宜変更することができることは言うまでもない。
【００４３】
【発明の効果】
以上の如く、本発明に係る情報提供システム、情報提供装置、および情報提供方法、並びに情報提供プログラムによれば、情報提供装置は、ユーザからのアクセス履歴を示す履歴情報と、ユーザに提供する情報とを記憶し、ユーザの端末からのアクセスを受け、情報のうち、このユーザに対して提供すべき所定の情報と、ユーザに対応する履歴情報を読み出し、読み出された所定の情報と、履歴情報とに基づいて、ユーザに対して送信すべき画面表示データを作成し、作成された画面表示データをユーザの端末に対して送信し、端末は、情報提供装置にアクセスし、情報提供装置から送信されてきた画面表示データを受信し、受信された画面表示データを表示するようにしたので、ユーザは欲しい情報を簡単かつ迅速に取得することができる。
また、情報提供装置は、端末からの検索条件を受け、検索条件およびアクセス時刻を示す時間情報とをユーザの履歴情報として記憶させる。これにより、ユーザに対して提供すべき所定の情報を選択するための情報を、情報提供装置内に蓄積することができる。
また、ユーザに対して提供すべき所定の情報と、履歴情報のうち、ユーザに対応するものを所定のテンプレートに設定することによって画面表示データを作成するようにすれば、簡単に画面表示データを作成することができる。
また、読み出された所定の情報と、履歴情報とに基づいて、ユーザに対して提供すべき提供情報を決定し、提供情報を含む画面表示データを作成するようにすれば、ユーザの嗜好に応じてユーザに適した情報を提供することができる。
【図面の簡単な説明】
【図１】本発明の一実施の形態の構成例を示すブロック図である。
【図２】図１の実施の形態のサーバの処理手順を示すフローチャートである。
【符号の説明】
１  ユーザ端末
２  サーバ
３  データベース
４−１乃至４−Ｎ  メーカ端末
２１  通信制御部
２２  ＤＢ連動型ＨＰ
２３  ＨＰ作成部
【図１】
2005018436.tif 000003
【図２】
2005018436.tif 000004